(57)【要約】【課題】  物品に接着する際の接着性能を向上させたことにより、設置場所を選ぶことなく種々の部位に適用することができ、かつ装飾性にも優れた効果を発揮するようにした発光ダイオード及びそれを用いた発光ダイオード付造花並びに発光ダイオード付吸盤を提供する。【解決手段】  発光部を有する発光ダイオードと、少なくとも該発光部の全周面を囲繞するように該発光ダイオードに嵌着された透明プラスチック製チューブ部材とからなり、接着加工が容易に行えるようにした。【選択図】  図１
2004186140.tif 000002
【特許請求の範囲】
【請求項１】
発光部を有する発光ダイオードと、少なくとも該発光部の全周面を囲繞するように該発光ダイオードに嵌着された透明プラスチック製チューブ部材とからなり、接着加工が容易に行えるようにしたことを特徴とするプラスチックチューブ付発光ダイオード。
【請求項２】
前記チューブ部材に光透過性かつ可撓性を有する複数本の極細材料を接着したことを特徴とする請求項１記載のプラスチックチューブ付発光ダイオード。
【請求項３】
前記極細材料が光ファイバーであることを特徴とする請求項２記載のプラスチックチューブ付発光ダイオード。
【請求項４】
請求項１記載のプラスチックチューブ付発光ダイオードを具備しかつ複数の花弁を放射状に配設してなる造花であって、前記発光部が該造花の雌しべの位置に存在するように前記プラスチックチューブ付発光ダイオードを該複数の花弁の中央部に接着固定したことを特徴とする発光ダイオード付造花。
【請求項５】
請求項２又は３記載のプラスチックチューブ付発光ダイオードを具備しかつ複数の花弁を放射状に配設してなる造花であって、前記発光部が該造花の雌しべの位置に存在し前記極細材料が雄しべとして見立てられるように前記プラスチックチューブ付発光ダイオードを該複数の花弁の中央部に接着固定したことを特徴とする発光ダイオード付造花。
【請求項６】
前面を吸着面とし後面に取付部を設けた吸盤本体と、該取付部に接着固定された請求項１記載のプラスチックチューブ付発光ダイオードと、からなることを特徴とする発光ダイオード付吸盤。                                                                             
【発明の詳細な説明】
【技術分野】
【０００１】
本発明は、発光ダイオードに関し、より詳しくは、物品に接着する際の接着性能を向上したのみならず、装飾性にも優れた効果を発揮するプラスチックチューブ付発光ダイオード及びそれを用いた発光ダイオード付造花並びに発光ダイオード付吸盤に関する。
【背景技術】
【０００２】
従来、発光ダイオード（ＬＥＤ）は、フィラメントを使用しないためにいわゆる玉切れが生ずることがなく、また発熱することがほとんどなく、さらに直流電流であるためチラツキがない、軽い、そして振動に強い等の利点があり、近年需要が増えてきている。
【０００３】
このような発光ダイオードは、ガラスやシリコン樹脂などで形成されており、一般的には、基盤上に半田づけすることにより固定する方法が広く行われている。
【０００４】
そのため、必然的に基盤を伴うために基盤を伴うことが可能な場所にしか応用ができないという問題があった。例えば、電池を使って発光ダイオードで明かりや表示とする場合、発光ダイオードは固定設置されているために自由に設置場所を選ぶことができなかった。
【０００５】
また、かかる発光ダイオードが故障した場合には、基盤上に設置されている発光ダイオードを交換するためのハンダづけ作業などが容易ではないため、専門の技術が必要となってその処置に困るという問題があった。この問題は、発光ダイオードの使用頻度が高い設置場所では一層顕著となる。
【発明の開示】
【発明が解決しようとする課題】
【０００６】
本発明は、上記した問題点に鑑みなされたもので、物品に接着する際の接着性能を向上させたことにより、設置場所を選ぶことなく種々の部位に適用することができ、かつ装飾性にも優れた効果を発揮するようにした発光ダイオード及びそれを用いた発光ダイオード付造花並びに発光ダイオード付吸盤を提供することを目的とする。
【課題を解決するための手段】
【０００７】
上記課題を解決するために、本発明のプラスチックチューブ付発光ダイオードは、発光部を有する発光ダイオードと、少なくとも該発光部の全周面を囲繞するように該発光ダイオードに嵌着された透明プラスチック製チューブ部材とからなり、接着加工が容易に行えるようにしたことを特徴とする。
【０００８】
このように構成すれば、該プラスチックチューブ付発光ダイオードの該チューブ部材に接着剤を塗布することにより従来は不可能と考えられていた設置場所などにも接着及び固定が可能となる。すなわち、該チューブ部材を設けたことにより、接着加工等が極めて容易となり、種々の部位に自在に取付可能となる便利さが付与される。
【０００９】
本発明のプラスチックチューブ付発光ダイオードに用いられる透明プラスチック製チューブ部材の大きさについては特別の限定はないが、上記発光ダイオードの発光部を該チューブ部材に強制的に押し込むことにより、該チューブ部材を該発光部にぴったりと隙間なく嵌着することができ、該チューブ部材が該発光部から脱落するおそれが全くない状態となるような透明プラスチック製チューブ部材を用いることが好ましい。
【００１０】
例えば、本発明のプラスチックチューブ付発光ダイオードを室内案内板や屋内看板に接着させれば、スポット照明により室内案内板や屋内看板を照らしたりすることもできる。
【００１１】
また、例えば、本発明のプラスチックチューブ付発光ダイオードを使って屋内照度計を作り、太陽電池パネルからの太陽エネルギーを使って本発明のプラスチックチューブ付発光ダイオードを点灯させれば、屋内における照明の省エネルギー度を表示することが可能な省エネ表示装置などにもなる。
【００１２】
また、前記チューブ部材に光透過性かつ可撓性を有する複数本の極細材料を接着するようにすれば、前記プラスチックチューブ付発光ダイオードの装飾性がさらに優れたものとなる。該光透過性かつ可撓性を有する極細材料としては、光ファイバーや釣り糸などが使用可能である。
【００１３】
本発明の発光ダイオード付造花は、前記プラスチックチューブ付発光ダイオードを具備しかつ複数の花弁を放射状に配設してなる造花であって、前記発光部が該造花の雌しべの位置に存在するように前記プラスチックチューブ付発光ダイオードを該複数の花弁の中央部に接着固定したことを特徴とする。
【００１４】
このように構成すれば、花の中心部が光り輝く発光ダイオード付造花となる。また、複数個の発光ダイオード付造花を植木鉢にあしらえば、美しい鉢植えとすることができる。
【００１５】
また、前記プラスチックチューブ付発光ダイオードを具備しかつ複数の花弁を放射状に配設してなる発光ダイオード付造花であって、前記発光部が該造花の雌しべの位置に存在し前記極細材料が雄しべとして見立てられるように前記プラスチックチューブ付発光ダイオードを該複数の花弁の中央部に接着固定した発光ダイオード付造花とすることも可能である。
【００１６】
このように構成すれば、花の中心部が光り輝きかつ前記極細材料に光が反射して該極細材料がきらきら輝く発光ダイオード付造花となる。
【００１７】
さらに、本発明の発光ダイオード付吸盤は、前面を吸着面とし後面に取付部を設けた吸盤本体と、該取付部に接着固定された前記プラスチックチューブ付発光ダイオードと、からなることを特徴とする。
【００１８】
このように構成すれば、従来は困難とされていた自動ドアのガラス面やドアの壁などにも自在に取り付けることができ、発光ダイオードの使用範囲が一層拡がることとなる。
【００１９】
また、例えば、災害避難場所を示す看板を常時明かりで示すことも可能となる。また、例えば駐車場の街灯等の外部の照明を利用し、該街灯等からの光をソーラー電池に蓄電して本発明のプラスチックチューブ付発光ダイオードに適用すれば、かかる街灯等からの光を再利用して小さな看板等を点灯させることができる。
【００２０】
前記プラスチックチューブ付発光ダイオードを装飾用物品に接着することにより装飾性を高めることも可能である。該装飾用物品としては、例えば、置物、造花や水中花等の花を利用した装飾物品が挙げられる。
【００２１】
さらに、前記プラスチックチューブ付発光ダイオードに光触媒を噴霧し、該光触媒と該プラスチックチューブ付発光ダイオードから発生する紫外線とを反応せしめることにより、脱臭効果を発揮させることもできる。
【００２２】
例えば、前記プラスチックチューブ付発光ダイオードを上記した花を利用した装飾物品に接着し、該プラスチックチューブ付発光ダイオードに光触媒を噴霧し、脱臭効果を発揮させるようにすれば、ハウスシック症候群の防止にも効果がある。また、トイレ・喫煙所・プール・病院・ゴミ置き場・冷蔵庫内部・台所・工場等の脱臭にも利用可能である。
【００２３】
また、上記した災害避難場所を示す看板、室内案内板や屋内看板に吸着したプラスチックチューブ付発光ダイオードに光触媒を噴霧することにより、脱臭効果を発揮させることもできる。
【発明の効果】
【００２４】
本発明のプラスチックチューブ付発光ダイオードによれば、物品に接着する際の接着性能を向上させたことにより、設置場所を選ぶことなく種々の部位に適用することができ、かつ装飾性にも優れた効果を発揮するという著大な効果を奏する。また、本発明のプラスチックチューブ付発光ダイオードを用いた発光ダイオード付造花によれば、極めて装飾性の高い造花となるという効果を奏する。さらに、本発明のプラスチックチューブ付発光ダイオードを用いた発光ダイオード付吸盤によれば、設置場所を選ぶことなく種々の部位に適用することができ、かつ装飾性にも優れた効果を発揮するという効果を奏する。
【発明を実施するための最良の形態】
【００２５】
以下に本発明の実施の形態を添付図面に基づいて説明するが、図示例は例示的に示されるもので、本発明の技術思想から逸脱しない限り種々の変形が可能なことはいうまでもない。
【００２６】
図１は本発明のプラスチックチューブ付発光ダイオードの１つの実施の形態を示す概略説明図、図２は本発明の本発明のプラスチックチューブ付発光ダイオードの１つの実施の形態を示す概略斜視図、図３は本発明の発光ダイオード付造花の１つの実施の形態を示す概略斜視図、図４は図３に示した発光ダイオード付造花の縦断面図、図５は図３に示した本発明の発光ダイオード付造花を使った鉢植えを示す概略斜視図、図６は透明プラスチック製チューブ部材に極細材料が接着された極細材料付発光ダイオードの１つの実施の形態を示す正面図、図７は図６に示した極細材料付発光ダイオードに花弁を取り付けた本発明の発光ダイオード付造花を示す概略斜視図、図８は本発明の発光ダイオード付吸盤の１つの実施の形態を示す概略斜視図、図９は図８の縦断面図、図１０は発光ダイオード付吸盤と人感センサーを使った１つの実施の形態を示す概略斜視図である。
【００２７】
図１及び２において、本発明のプラスチックチューブ付発光ダイオード１０は、端子１６を有する発光部１４の全周面を囲繞するように透明プラスチック製チューブ部材１２が嵌着されることにより構成されている。該発光部１４を該チューブ部材１２に強制的に押し込むことにより、該チューブ部材１２は該発光部１４にぴったりと隙間なく嵌着され、該チューブ部材１２が該発光部１４から脱落するおそれが全くない状態とされている。このように構成することにより、プラスチックチューブ付発光ダイオード１０を物品に接着する際の接着性能が向上する。
【００２８】
かかる本発明のプラスチックチューブ付発光ダイオード１０を具備しかつ複数の花弁１８を放射状に配設してなる造花であって、プラスチックチューブ付発光ダイオード１０の発光部１４が該造花の雌しべの位置に存在するようにプラスチックチューブ付発光ダイオード１０を複数の花弁１８の中央部に接着固定してなる本発明の発光ダイオード付造花２０を図３に示す。かかる複数の花弁１８は図４に示す如くプラスチックチューブ付発光ダイオード１０の周囲に放射状に接着され、該発光部１４が発光ダイオード付造花２０の雌しべの位置に存在するように、該プラスチックチューブ付発光ダイオード１０が複数の花弁１８の中央部に接着固定されている。このように構成すれば、花の中心部が光り輝く発光ダイオード付造花２０となる。また、図５に示す如く、複数個の発光ダイオード付造花２０を植木鉢２４にあしらえば、美しい鉢植え２２となる。
【００２９】
また、図６に示す如く、光透過性かつ可撓性を有する極細材料２８を透明プラスチック製チューブ部材１２の内周面に設ける構成とすれば、プラスチックチューブ付発光ダイオード１０を点灯させたときに該極細材料２８がきらきらと美しく輝く極細材料付発光ダイオード２６となる。図示の例では、石英ガラス製の光ファイバーを使用した。なお、光ファイバーのかわりにナイロン製の釣り糸などを使用することができることはいうまでもない。
【００３０】
かかる極細材料付発光ダイオード２６を具備しかつ複数の花弁１８を放射状に配設してなる造花であって、極細材料付発光ダイオード２６の発光部１４が該造花の雌しべの位置に存在するように極細材料付発光ダイオード２６を複数の花弁１８の中央部に接着固定してなる本発明の発光ダイオード付造花２７を図７に示す。かかる複数の花弁１８は図７に示す如く極細材料付発光ダイオード２６の周囲に放射状に接着され、発光部１４が発光ダイオード付造花２７の雌しべの位置に存在し該極細材料２８が雄しべとして見立てられるように該極細材料付発光ダイオード２６が複数の花弁１８の中央部に接着固定されている。このように構成すれば、花の中心部が光り輝きかつ極細材料２８に光が反射して該極細材料２８がきらきら輝く発光ダイオード付造花２７となる。
【００３１】
さらに、極細材料付発光ダイオード２６に光触媒を噴霧し、該光触媒と該極細材料付発光ダイオード２６から発生する紫外線とを反応せしめることにより、脱臭効果を発揮させることもできる。該光触媒としては、例えば酸化チタン水溶液などを使用することが可能である。
【００３２】
また、本発明のプラスチックチューブ付発光ダイオード１０に吸盤本体３２を接着して本発明の発光ダイオード付吸盤３０としたものを図８に示す。該吸盤本体３２は、前面が吸着面とされ、後面に取付部３３が設けられている。該取付部３３には、プラスチックチューブ付発光ダイオード１０が接着固定されている。このように構成すれば、従来は不可能と考えられていた設置場所などにもプラスチックチューブ付発光ダイオード１０を極めて容易に固定することが可能となる。
【００３３】
本発明の発光ダイオード付吸盤３０を用いた１つの実施の形態を図１０に示す。図１０において、符号３４は人感センサー、３６はトイレの扉、３８は小孔である。図示したように、トイレの扉３６に小孔３８を開穿しておき、該扉３６の裏側から該小孔３８を塞ぐように該発光ダイオード付吸盤３０を吸着せしめる。該発光ダイオード付吸盤３０の端子には、人感センサー３４を取り付けておく。このセンサーには、例えば、サーモセンサー等の人感センサー、エコーセンサーや赤外線センサー等の従来公知のセンサーを使用することが可能である。
【００３４】
このように構成すると、トイレの中に人が入ると発光ダイオード付吸盤３０のプラスチックチューブ付発光ダイオード１０が点灯することにより、該小孔３８から光が出て中に人がいるかどうかを容易に知ることができる。
【００３５】
また、トイレの扉以外にも、例えば歯科医院等のガラス戸の裏側に吸着させて表札の文字を光らせたり、アクリル製のサインプレートの裏側に吸着させて文字を光らせたりすることもできる。さらに、会議室等のサインプレートに小孔を開穿して該表札の裏側から該小孔を塞ぐように該発光ダイオード付吸盤３０を吸着せしめれば、会議室内の人の有無に応じてセンサーでプラスチックチューブ付発光ダイオード１０を光らせることが可能となる。
【００３６】
また、本発明のプラスチックチューブ付発光ダイオード１０を置物や壁掛けといった装飾用物品に接着すれば、装飾性の高い発光ダイオード付装飾用物品となる。
【図面の簡単な説明】
【００３７】
【図１】本発明のプラスチックチューブ付発光ダイオードの１つの実施の形態を示す概略説明図である。
【図２】本発明の本発明のプラスチックチューブ付発光ダイオードの１つの実施の形態を示す概略斜視図である。
【図３】本発明の発光ダイオード付造花の１つの実施の形態を示す概略斜視図である。
【図４】図３に示した発光ダイオード付造花の縦断面図である。
【図５】図３に示した本発明の発光ダイオード付造花を使った鉢植えを示す概略斜視図である。
【図６】透明プラスチック製チューブ部材に極細材料が接着された極細材料付発光ダイオードの１つの実施の形態を示す正面図である。
【図７】図６に示した極細材料付発光ダイオードに花弁を取り付けた本発明の発光ダイオード付造花を示す概略斜視図である。
【図８】本発明の発光ダイオード付吸盤の１つの実施の形態を示す概略斜視図である。
【図９】図８の縦断面図である。
【図１０】発光ダイオード付吸盤と人感センサーを使った１つの実施の形態を示す概略斜視図である。
【符号の説明】
【００３８】
１０：プラスチックチューブ付発光ダイオード、１２：透明プラスチック製チューブ部材、１４：発光部、１６：端子、２０：発光ダイオード付造花、２２：鉢植え、２４：植木鉢、２６：極細材料付発光ダイオード、２７：発光ダイオード付造花、２８：極細材料、３０：発光ダイオード付吸盤、３２：吸盤本体、３４：人感センサー、３６：扉、３８：小孔。
【図６】
2004186140.tif 000003
【図１】
2004186140.tif 000004
【図２】
2004186140.tif 000005
【図３】
2004186140.tif 000006
【図４】
2004186140.tif 000007
【図５】
2004186140.tif 000008
【図７】
2004186140.tif 000009
【図８】
2004186140.tif 000010
【図９】
2004186140.tif 000011
【図１０】
2004186140.tif 000012